(57)【要約】【構成】液晶表示装置１０は積層された２枚の液晶パネル１６および２２を含み、積層された２枚の液晶パネル１６および２２の後方にはバックライトユニット１４が配置される。積層された２枚の液晶パネル１６および２２の間には拡散板２０が介挿され、介挿された拡散板２０は圧電素子等により振動される。【効果】拡散板の見かけ上の拡散特性が向上する。このため拡散特性の低い拡散板を採用でき、ひいてはバックライト光の利用効率が高まる。【選択図】図１
2008209688.tif 000002
【特許請求の範囲】
【請求項１】
液晶パネル、
前記液晶パネルの後方に配置されるバックライト、
前記バックライトから発せられた光を拡散させる少なくとも１つの拡散板、
前記拡散板を支持する支持部材、
前記拡散板と前記支持部材との間に介在する弾性部材、および
前記拡散板を振動させる振動手段を備える、液晶表示装置。
【請求項２】
前記振動手段は前記拡散板を可聴帯域外の周波数で振動させる、請求項１記載の液晶表示装置。
【請求項３】
前記振動手段は圧電素子および前記圧電素子に電圧を印加するドライバを含む、請求項１または２記載の液晶表示装置。
【請求項４】
前記圧電素子は前記拡散板の端部と対向する圧電素子片である、請求項３記載の液晶表示装置。
【請求項５】
前記バックライト用のインバータ回路をさらに備え、
前記ドライバは前記インバータ回路で生成されるスイッチング信号に従って動作する、請求項３記載の液晶表示装置。
【請求項６】
前記液晶パネルは複数の液晶パネルを積層した液晶パネルユニットである、請求項１ないし５のいずれかに記載の液晶表示装置。
【請求項７】
前記拡散板は前記液晶パネルユニットの前記複数の液晶パネルの間に介挿され、
前記振動手段は前記拡散板を視覚の時空間特性に基づく検知限界以上の周波数で振動させる、請求項６記載の液晶表示装置。
【請求項８】
光を拡散させる拡散層、および
前記拡散層と積層される透明圧電素子層を備える、拡散板。
【請求項９】
板状に成形され、
一方の面から他方の面に透過する光を拡散する、透明圧電素子。
【発明の詳細な説明】
【技術分野】
【０００１】
この発明は、液晶表示装置および拡散板に関し、特にたとえば、液晶パネルおよび液晶パネルの後方に配置されるバックライトを備える、液晶表示装置、およびこれに用いられる拡散板に関する。
【背景技術】
【０００２】
この種の装置の一例が、特許文献１に開示されている。この従来の装置は、積層された複数の液晶パネルおよびその後方に配置されるバックライトを備え、積層された複数の液晶パネルでそれぞれ再現される複数の画像を前面から出力する。そして、背面側の液晶パネルと前面側の液晶パネルとの間に拡散板が介挿される。背面側の液晶パネルで再現された背景画像と、前面側の液晶パネルで再現された前景画像との干渉は、拡散板によって抑制される。
【特許文献１】特許第３３３５９９８号公報［H04N 13/04, G02B 27/22, G09F 19/12, G09G 3/20］
【発明の開示】
【発明が解決しようとする課題】
【０００３】
ところが、従来技術では、液晶表示装置の出力画像に現れる干渉縞の視認が困難となる程度の抑制効果を得るためには、高い拡散特性の拡散板を用いなければならない。拡散板の拡散特性を高めると、前面側の液晶パネルへの入射光量が減少する結果、出力画像は暗くなる。
【０００４】
このように、従来技術では、複数の液晶パネルの各々での損失に加えて、拡散板でも大きな損失が生じるので、バックライト光の利用効率が著しく低下する。このため、高出力のバックライトが必要であり、消費電力や発熱が問題となる。しかし、特許文献１は、バックライト光の利用効率を高める方策については何ら開示していない。
【０００５】
なお、単一の液晶パネルを有する液晶表示装置でも、バックライト光の均一化のためにバックライトと液晶パネルとの間に拡散板が介挿される場合があり、同様の問題が生じる。
【０００６】
それゆえに、この発明の主たる目的は、バックライト光の利用効率を高めることができる、液晶表示装置を提供することである。
【課題を解決するための手段】
【０００７】
請求項１の発明に従う液晶表示装置(10：実施例で相当する参照符号。以下同じ)は、液晶パネル(16,22)、液晶パネルの後方に配置されるバックライト(14)、バックライトから発せられた光を拡散させる少なくとも１つの拡散板(20)、拡散板を支持する支持部材(18a,18b)、拡散板と支持部材との間に介在する弾性部材(28)、および拡散板を振動させる振動手段(26,26a,26b,30)を備える。
【０００８】
液晶パネルの後方にバックライトが配置され、バックライトから発せられた光は拡散板によって拡散される。拡散板は、支持部材により支持され、振動手段によって振動される。拡散板と支持部材との間には弾性部材が介在しており、拡散板の振動は弾性部材で吸収される。
【０００９】
拡散板を振動させることで、拡散板の見かけ上の拡散特性が向上する。これは、拡散特性の低い拡散板を採用できることを意味し、ひいてはバックライトから発せられた光の利用効率の向上につながる。
【００１０】
なお、ある局面では、拡散板は、バックライトと液晶パネルとの間に配置される（換言すればバックライトユニット内に配置される）。別の局面では、液晶パネルは複数の液晶パネルを積層した液晶パネルユニットであり、拡散板は積層された複数の液晶パネルの間に介挿される。
【００１１】
請求項２の発明に従う液晶表示装置は、請求項１に従属し、振動手段は拡散板を可聴帯域外の周波数で振動させる。これにより、拡散板の振動による雑音は聞こえなくなる。
【００１２】
請求項３の発明に従う液晶表示装置は、請求項１または２に従属し、振動手段は圧電素子(26,26a,26b)および圧電素子に電圧を印加するドライバ(30)を含む。
【００１３】
圧電素子は電圧に応じて振動する。圧電素子の振動が拡散板に伝わることで拡散板は振動する。
【００１４】
請求項４の発明に従う液晶表示装置は、請求項３に従属し、圧電素子は拡散板の端部と対向する圧電素子片(26)である。
【００１５】
請求項５の発明に従う液晶表示装置は、請求項３に従属し、バックライト用のインバータ回路(34)をさらに備え、ドライバはインバータ回路で生成されるスイッチング信号に従って動作する。
【００１６】
バックライト用のインバータ回路では、聴覚の検知限界つまり２０ｋＨｚを超える周波数のスイッチング信号が生成される。ドライバへは、このインバータ回路で生成されるスイッチング信号が与えられる。
【００１７】
インバータ回路で生成されるスイッチング信号を流用することで、ドライバ専用のパルスジェネレータは不要となる。
【００１８】
請求項６の発明に従う液晶表示装置は、請求項１ないし５のいずれかに従属し、液晶パネルは複数の液晶パネルを積層した液晶パネルユニットである。
【００１９】
請求項７の発明に従う液晶表示装置は、請求項６に従属し、拡散板は液晶パネルユニットの複数の液晶パネルの間に介挿され、振動手段は拡散板を視覚の時空間特性に基づく検知限界以上の周波数で振動させる。これにより、干渉縞の視認は困難となる。
【００２０】
請求項８の発明に従う拡散板(20A)は、光を拡散させる拡散層(20)、および拡散層と積層される透明圧電素子層(26a)を備える。
【００２１】
透明圧電素子層に電圧を印加することで透明圧電素子層は振動し、この透明圧電素子層の振動が拡散層に伝わって拡散層も振動する。これにより、見かけ上の拡散特性が向上する。また、透明圧電素子層の振動が拡散層の全体に直接伝わるので、振動の均一化が容易であり、安定した拡散特性が得られる。
【００２２】
請求項９の発明に従う透明圧電素子(26b)は、板状に成形され、一方の面から他方の面に透過する光を拡散する。
【００２３】
透明圧電素子が拡散板を兼ねることで、透過光の損失が減少する。また、透明圧電素子つまり拡散板自身が振動するので、振動の均一化が容易であり、安定した拡散特性が得られる。
【発明の効果】
【００２４】
この発明によれば、バックライト光の利用効率を高めることができる。この結果、消費電力や発熱の問題が改善される。
【００２５】
この発明の上述の目的，その他の目的，特徴および利点は、図面を参照して行う以下の実施例の詳細な説明から一層明らかとなろう。
【発明を実施するための最良の形態】
【００２６】
図１を参照して、この発明が適用される液晶表示装置１０は、後方カバー１２，バックライトユニット１４，背面側の液晶パネル１６，スペーサ１８ａ，拡散板２０，スペーサ１８ｂ，前面側の液晶パネル２２および前方カバー２４によって形成される。
【００２７】
液晶パネル１６および２２はいずれも矩形の板状に形成され、主面の大きさならびに主面に設けられる表示画面の大きさは液晶パネル１６および２２の間で一致する。バックライトユニット１４は矩形の板状に形成され、その大きさは液晶パネル１６または２２の主面の大きさとほぼ一致する。
【００２８】
拡散板２０は矩形の板状に形成され、その大きさは液晶パネル１６または２２の主面の大きさとほぼ一致する。スペーサ１８ａおよび１８ｂはいずれも矩形の枠状に形成され、その大きさは液晶パネル１６または２２の主面の大きさをわずかに上回る。さらに、枠によって定義される窓Ｗ１ａ，Ｗ１ｂの大きさは、表示画面の大きさとほぼ一致する。
【００２９】
バックライトユニット１４，液晶パネル１６，スペーサ１８ａ，拡散板２０，スペーサ１８ｂおよび液晶パネル２２は、各々の主面または窓Ｗ１ａ，Ｗ１ｂの中心が軸ＡＸと一致し、かつ各々の四隅が互いに接するように、軸ＡＸ方向に積層される。積層された液晶パネル１６および２２の表示画面はいずれも前方を向く。
【００３０】
後方カバー１２は、バックライトユニット１４の背面および側面と、液晶パネル１６の側面とを覆う直方体状のカバーである。前方カバー２４は、液晶パネル２２の正面外周と側面とを覆う直方体状のカバーであり、液晶パネル２２の表示画面と同じサイズの窓Ｗ２が前方カバー２４の主面に形成される。バックライトユニット１４，液晶パネル１６，スペーサ１８ａ，拡散板２０，スペーサ１８ｂおよび液晶パネル２２の積層体は、このような後方カバー１２および前方カバー２４によって封止される。
【００３１】
液晶表示装置１０へは、背面用の映像信号と前面用の映像信号とが入力される。これら２つの映像信号の入力は、共通の同期信号に従うラスタ走査態様で行われる。入力された背面用の映像信号は液晶パネル１６に供給され、入力された前面用の映像信号は液晶パネル２２に供給される。液晶パネル１６および２２の各々は、供給された映像信号に基づいて液晶の透過率を制御する。この状態でバックライトユニット１４を点灯することで、液晶パネル１６には背景画像が再現され、液晶パネル２２には前景画像が再現される。液晶表示装置１０からは、こうして再現された背景画像および前景画像が前方に出力され、この結果、ユーザの目には背景および前景からなる立体画像が見える。
【００３２】
さて、液晶表示装置１０から出力される立体画像には通常、背景画像と前景画像との間の干渉によって縞模様が現れる。２枚の液晶パネル１６および２２の間に配置された拡散板２０は、このような干渉縞の出現を抑制する。
【００３３】
拡散板２０は、図２および図３に示すように、２つの主面の一方に複数の錘状突起を有する。これら複数の錘状突起は、主面の対角方向ＰおよびＱの各々に沿って並ぶ。２つの主面の他方は平らである。拡散板２０を通過する光は、錘状突起のある方の主面で拡散される。
【００３４】
拡散板２０の拡散特性は、干渉縞の視認を困難とするのに要求される拡散特性よりも低い。しかし、拡散板２０による干渉抑制の効果は、以下のように拡散板２０を振動させることで増大する。
【００３５】
この実施例の液晶表示装置１０は、拡散板２０を法線方向に振動させるための４つの圧電素子２６，２６，…を含む。図４を参照して、４つの圧電素子２６，２６，…は拡散板２０の一方主面の四隅にそれぞれ配置される。スペーサ１８ａおよび１８ｂにより保持された拡散板２０の線“Ａ”での切断面（線Ａを含むＺＸ平面と平行な面での切断面）を図５に示す。図５を参照して、スペーサ１８ａおよび１８ｂの各々の断面はＬ字形状を有し、スペーサ１８ａの底面とスペーサ１８ｂとで空間Ｓが形成される。拡散板２０の周縁部は４つの圧電素子２６，２６，…と共にこの空間Ｓに収納され、空間Ｓの残りはアブソーバ２８で埋められる。
【００３６】
拡散板２０のスペーサ１８ｂ側の主面に位置する４つの圧電素子２６，２６，…の各々は、圧電素子ドライバ３０から同位相の電圧の印加を受け、同位相で振動する。この結果、拡散板２０は法線方向（Ｚ方向）に振動する。
【００３７】
図６を参照して、拡散板２０が法線方向に振動すると、光路が変化し、これにより拡散板２０から出射される像に変化が生じる。このため、視覚の時空間特性に基づく検知限界である６０Ｈｚを超える周波数で拡散板２０を振動させれば、出力画像に現れる干渉縞の視認は困難となる。
【００３８】
ただし、拡散板２０の振動によって雑音が発生するから、可聴帯域外（２０Ｈｚ〜２０ｋＨｚ）の周波数で振動させることが好ましい。この実施例では、２０ｋＨｚを超える周波数で振動させる。したがって、圧電素子ドライバ３０は、２０ｋＨｚ超のパルスを発生させる専用のパルスジェネレータ（図示せず）を含む。パルスジェネレータがパルスの周波数，振幅，波形などを制御することで、拡散板２０の拡散特性を制御することができる。
【００３９】
なお、図７に示すように、バックライトユニット１４に冷陰極管（ＣＣＦＬ）１４ａを用いる場合、ＣＣＦＬ１４ａはインバータ回路３４を介して外部電源３２に接続される。このインバータ回路３４に含まれるパルスジェネレータ３４ａが、聴覚の検知限界を超える周波数たとえは５６ｋＨｚのパルス（スイッチング信号）を発生している。このパルスをインバータ回路３４から取り出して圧電素子ドライバ３０に与えれば、専用のパルスジェネレータは不要となる。
【００４０】
以上から明らかなように、この実施例では、拡散板２０は４つの圧電素子２６，２６，…により法線方向に振動される。これにより、拡散板２０の見かけ上の拡散特性が向上する。このことは、拡散特性の低い拡散板２０を採用できることを意味し、ひいてはバックライト光の利用効率が高まる。
【００４１】
ところで、上記の実施例では、４つの圧電素子２６，２６，…を拡散板２０の四隅にそれぞれ配置したが、層状の透明圧電素子２６ａを拡散板２０と積層してもよい。以下には、このような実施例を図８〜図１０により説明する。なお、この実施例でも、液晶表示装置１０は図１のように構成され、圧電素子ドライバ３０には図６のインバータ回路３４から取り出されたパルスを与えてよい。
【００４２】
図８を参照して、この実施例の拡散板ユニット２０Ａはスペーサ１８ａおよび１８ｂにより保持される。図９を参照して、スペーサ１８ａおよび１８ｂで形成された空間Ｓには拡散板ユニット２０Ａの端部が収納され、空間Ｓの残りはアブソーバ２８で埋められる。図１０を参照して、拡散板ユニット２０Ａは拡散板２０を含み、拡散板２０には、層状の透明電極Ｅ１，層状の透明圧電素子２６ａおよび層状の透明電極Ｅ２が法線方向に積層される。
【００４３】
なお、透明電極Ｅ１，Ｅ２はたとえば酸化インジウム錫（Indium Tin Oxide：ITO）で形成され、透明圧電体２６ａはたとえばポリフッ化ビニリデン（PolyVinylidine DiFluoride：PVDF）で形成される。
【００４４】
圧電素子ドライバ３０が透明電極Ｅ１およびＥ２に電圧を印加すると、透明圧電素子２６ａは法線方向に伸縮し、この結果として拡散板２０が法線方向に振動する。圧電素子ドライバ３０が２０ｋＨｚ超のパルスに従って動作することで、干渉縞は見えなくなり、拡散板２０の振動音が聞こえることもない。
【００４５】
ところで、上記２つの実施例の各々では拡散板２０を法線方向に振動させたが、振動は面方向でもよい。以下、拡散板２０を面方向の１つであるＸ方向に振動させる実施例について、図１１〜図１３により説明する。この実施例でも、液晶表示装置１０は図１のように構成され、圧電素子ドライバ３０には図６のインバータ回路３４から取り出されたパルスを与えてよい。
【００４６】
図１１を参照して、拡散板２０はスペーサ１８ａおよび１８ｂにより保持される。４つの圧電素子２６，２６，…は、拡散板２０の４つの端面のうちＹＺ平面に並行な２つの端面の各々の両端に配置される。すなわち、４つの圧電素子２６，２６，…のうち２つは、拡散板２０のＹＺ平面と平行な端面のＹ方向の一方端部にあって、拡散板２０をＸ方向に挟んで対向し、４つの圧電素子２６，２６，…の他の２つは、当該端面のＹ方向の他方端部にあって、拡散板２０をＸ方向に挟んで対向する。なお、拡散板２０および圧電素子２６は図４のものと同じである。
【００４７】
図１２を参照して、スペーサ１８ａおよび１８ｂで形成された空間Ｓには、拡散板２０の周縁部が４つの圧電素子２６，２６，…と共に収納され、空間Ｓの残りはアブソーバ２８で埋められる。圧電素子ドライバ３０は、拡散板２０をＸ方向に振動させるべく圧電素子２６，２６，…の各々に電圧を印加する。印加電圧は、Ｘ方向に隣り合う２つの圧電素子２６，２６の間では逆相を示し、Ｙ方向に隣り合う２つの圧電素子２６，２６の間では同相を示す。
【００４８】
図１３を参照して、拡散板２０がＸ方向に振動すると、光路が変化し、これにより拡散板２０から出射される像に変化が生じる。圧電素子ドライバ３０が２０ｋＨｚ超のパルスに従って動作することで、干渉縞は見えなくなり、拡散板２０の振動音が聞こえることもない。
【００４９】
なお、上記３つの実施例の各々では、拡散板２０を平行移動させることで光路を変化させたが、拡散板２０を変形させても光路は変化する。以下、拡散板２０を面方向（ＸＹ方向）に伸縮させる実施例について、図１４〜図１７により説明する。この実施例でも、液晶表示装置１０は図１のように構成され、圧電素子ドライバ３０には図７のインバータ回路３４から取り出されたパルスを与えてよい。
【００５０】
図１４を参照して、この実施例の拡散板ユニット２０Ｂはスペーサ１８ａおよび１８ｂにより保持される。図１５を参照して、スペーサ１８ａおよび１８ｂで形成された空間Ｓには拡散板ユニット２０Ｂの端部が収納され、空間Ｓの残りはアブソーバ２８で埋められる。図１６を参照して、拡散板ユニット２０Ｂは、透明電極Ｅ１，透明圧電素子２６ｂおよび透明電極Ｅ２を法線方向に積層した積層構造を有する。透明電極Ｅ１，Ｅ２は図１０のものと同じである。
【００５１】
透明圧電素子２６ｂは、図１０の透明圧電素子２６ａにおいて、一方の主面に錘状突起を形成したものである。すなわち、透明圧電素子２６ｂは拡散板２０の機能をも有し、これにより透光率が向上する。
【００５２】
圧電素子ドライバ３０が透明電極Ｅ１およびＥ２に電圧を印加すると、透明圧電素子２６ｂは面方向に伸縮する。図１７を参照して、透明圧電素子２６ｂが面方向に伸縮すると、透明圧電素子２６ｂを通過する光の光路は変化する。この変化は、面方向だけでなく法線方向（Ｚ方向）の成分も含む。圧電素子ドライバ３０が２０ｋＨｚ超のパルスに従って動作することで、干渉縞は見えなくなり、透明圧電素子２６ｂ（拡散板２０）の振動音が聞こえることもない。
【００５３】
また、後の２つの実施例のように拡散板２０が面方向に振動する場合には、突起の配列方向Ｐ，Ｑと振動方向とが互いに一致しないように注意する必要がある。
【００５４】
なお、拡散板２０，２０Ａおよび２０Ｂ（透明圧電素子２６ｂ）では、２つの主面の一方に、対角方向ＰおよびＱの各々に並ぶ複数の錘状突起が形成されているが（図２，図３参照）、複数の錘状突起は２つの主面の両方に形成されてもよい。突起の形状は錘状とは限らず、柱状や球状など任意の形状でよい。複数の突起は、対角方向以外の方向に並んでもよく、ランダムに配置されてもよい。複数の突起を形成する代わりに複数の粒子を付着させてもよい。要するに、液晶表示装置１０には、少なくとも一方の主面に光を拡散させる凹凸が設けられた任意の拡散板の適用が可能である。
【００５５】
以上では、積層された２枚の液晶パネル１６および２２と、２枚の液晶パネル１６および２２の後方に配置されるバックライトユニット１４と、２枚の液晶パネル１６および２２の間に介挿される１つの拡散板２０とを有する液晶表示装置１０を用いて説明したが、この発明は、積層された３枚以上の液晶パネルを有する液晶表示装置にも適用できる。介挿される拡散板の枚数は２以上でもよい。また、拡散板を振動させるのに圧電素子を用いたが、モータなど圧電素子以外の各種アクチュエータを振動手段として利用してもよい。
【００５６】
この発明はまた、液晶パネルの後方に配置されるバックライトユニットと、バックライトユニット内に配置される少なくとも１つの拡散板とを有する液晶表示装置にも適用されうる。この場合、液晶パネルの枚数は、１枚でも２枚以上でもよい。以下には、図１の液晶表示装置において、バックライトユニット１４内に前述と同様の拡散板２６ｂ（２０）をさらに配置したものを、他の実施例として説明する。
【００５７】
この実施例のバックライトユニット１４の光学的な構成例を図１８に示す。比較のため、従来のバックライトユニットの光学的な構成例を図１９に示す。まず図１９を参照して、従来のバックライトユニット１００では、バックライトであるＣＣＦＬアレイの背面に反射シートＲＳが設けられ、これによって、ＣＣＦＬアレイが発する光は前面から効率よく出力される。ＣＣＦＬアレイの前面には、ＣＣＦＬアレイの照射ムラを改善する（バックライト光を均一にする）ための拡散板１０２が配置される。
【００５８】
拡散板１０２の前面には、拡散板１０２で拡散された光を前方に集光するべく、２枚のプリズムシートＢＥＦ１およびＢＥＦ２が配置される。プリズムシートＢＥＦ１およびＢＥＦ２の各々は、拡散板１００で低下したバックライト光の輝度を高める働きがあり、輝度向上フィルム(Brightness Enhancement Film)と呼ばれる。
【００５９】
さらに、プリズムシートＢＥＦ２の前面には、バックライト光のうち液晶パネルのバックライト側の偏光フィルムで吸収されてしまう偏光成分を選択的に反射するフィルムＤＢＥＦ(Dual Brightness Enhancement Film)が配置される。これにより、偏光成分の再利用が図られる。
【００６０】
このように、従来のバックライトユニット１００では、ＣＣＦＬの前面に、拡散板１０２と３枚の機能性フィルムとで４層が形成される。４層の間には８つの界面があり、バックライト光は界面を通過する度に減衰するので、バックライト光のロスが大きい。
【００６１】
次に図１８を参照して、この実施例のバックライトユニット１４では、ＣＣＦＬアレイの背面に従来と同様の反射シートが配置され、ＣＣＦＬアレイの前面には図１６および図１７に示すものと同様の拡散板２６ｂ（２０）が配置される。拡散板２６ｂ（２０）の前面には、従来と同様のフィルムＤＢＥＦが配置される。
【００６２】
拡散板２６ｂ（２０）は、バックライト光の出力方向に対する拡散角が小さいにもかかわらず、振動によって高い拡散特性を発揮する。このため、バックライトユニット１４では、プリズムシートＢＥＦは不要である。
【００６３】
換言すれば、この実施例のバックライトユニット１４は、従来４層で実現していた機能を２層で実現できる。したがって、界面の数は４つとなり、従来と比べてバックライト光のロスが小さくなる。これにより、バックライト光の利用効率がいっそう高まる。
【図面の簡単な説明】
【００６４】
【図１】この発明が適用される液晶表示装置の分解状態の一例を示す斜視図である。
【図２】図１液晶表示装置に備わる拡散板の一方主面に形成された突起の配列を示す図解図ある。
【図３】図１液晶表示装置に備わる拡散板を通過する光の光路を示す図解図である。
【図４】この発明の一実施例の要部を示す斜視図である。
【図５】図４実施例の線Ａを含むＺＸ平面と平行な面での切断面を示す断面図である。
【図６】図４実施例において拡散板の振動に伴い光路が変化する様子を示す図解図である。
【図７】図４実施例の電気的な構成を示すブロック図である。
【図８】この発明の他の実施例の要部を示す斜視図である。
【図９】図８実施例の線Ａを含むＺＸ平面と平行な面での切断面を示す断面図である。
【図１０】図８実施例に適用される拡散板の積層構造を示す図解図である。
【図１１】この発明のその他の実施例の要部を示す斜視図である。
【図１２】図１１実施例の線Ａを含むＺＸ平面と平行な面での切断面を示す断面図である。
【図１３】図１１実施例において拡散板の振動に伴い光路が変化する様子を示す図解図である。
【図１４】この発明のさらにその他の実施例の要部を示す斜視図である。
【図１５】図１４実施例の線Ａを含むＺＸ平面と平行な面での切断面を示す断面図である。
【図１６】図１４実施例に適用される拡散板の積層構造を示す図解図である。
【図１７】図１４実施例において拡散板の振動に伴い光路が変化する様子を示す図解図である。
【図１８】この発明に適用されるバックライトユニットの光学的な構成例を示す図解図である。
【図１９】従来のバックライトユニットの光学的な構成例を示す図解図である。
【符号の説明】
【００６５】
１０  …液晶表示装置
１４  …バックライトユニット
１６  …背面側液晶パネル
１８ａ，１８ｂ  …スペーサ
２０，２０Ａ，２０Ｂ  …拡散板
２２  …前面側液晶パネル
２６，２６ａ，２６ｂ  …圧電素子
２８  …アブソーバ
３０  …圧電素子ドライバ
３４  …インバータ回路
【図１】
2008209688.tif 000003
【図２】
2008209688.tif 000004
【図３】
2008209688.tif 000005
【図４】
2008209688.tif 000006
【図５】
2008209688.tif 000007
【図６】
2008209688.tif 000008
【図７】
2008209688.tif 000009
【図８】
2008209688.tif 000010
【図９】
2008209688.tif 000011
【図１０】
2008209688.tif 000012
【図１１】
2008209688.tif 000013
【図１２】
2008209688.tif 000014
【図１３】
2008209688.tif 000015
【図１４】
2008209688.tif 000016
【図１５】
2008209688.tif 000017
【図１６】
2008209688.tif 000018
【図１７】
2008209688.tif 000019
【図１８】
2008209688.tif 000020
【図１９】
2008209688.tif 000021